(57)【要約】    【課題】  カム環のカム溝に移動カム環側に設けた複数の球体のカムフォロアを容易に組み込むことができて、移動カム環を光軸方向に移動させることができるレンズ鏡筒を得ること。    【解決手段】  光軸方向に変移する１つ以上のカム環を有するレンズ鏡筒において、該１つ以上のカム環のうち１つのカム環は、その内側に移動レンズ群を保持する移動保持枠が移動する為の複数のカム溝が設けられており、前記移動保持枠には、前記カム環の複数のカム溝に各々嵌まる複数の球体のカムフォロアが前記カム溝と係合する方向へ付勢する付勢部材を介して保持されており、前記カム環は前記複数のカムフォロアを複数のカム溝に組み込む部分が、他方のカムフォロアをカム溝に組み込む際、先行でカム溝に組み込まれたカムフォロアが、該カム溝と該移動保持枠により既に嵌合保持されるように光軸方向に段差形状より成ること。【選択図】    図３
2010271524.tif 000002
【特許請求の範囲】
【請求項１】
光軸方向に変移する１つ以上のカム環を有するレンズ鏡筒において、該１つ以上のカム環のうち１つのカム環は、その内側に移動レンズ群を保持する移動保持枠が移動する為の複数のカム溝が設けられており、前記移動保持枠には、前記カム環の複数のカム溝に各々嵌まる複数の球体のカムフォロアが前記カム溝と係合する方向へ付勢する付勢部材を介して保持されており、前記カム環は前記複数のカムフォロアを複数のカム溝に組み込む部分が、他方のカムフォロアをカム溝に組み込む際、先行でカム溝に組み込まれたカムフォロアが、該カム溝と該移動保持枠により既に嵌合保持されるように光軸方向に段差形状より成ることを特徴とするレンズ鏡筒。
【請求項２】
複数のカム環を有するレンズ鏡筒において、複数のカム環のうち、固定の固定カム環は、その内側に光軸方向に移動可能な移動カム環が移動する為のカム溝が設けられており、前記移動カム環は、前記固定カム環のカム溝に嵌まる複数の球体のカムフォロアが、前記カム溝と係合する方向へ付勢する付勢部材を介して保持されており、前記固定カム環は前記複数のカムフォロアを前記複数のカム溝に組み込む部分が、他方のカムフォロアをカム溝に組み込む際、先行でカム溝に組み込まれたカムフォロアが、前記カム溝と前記移動カム環により既に嵌合保持されるように光軸方向に段差形状より成ることを特徴とするレンズ鏡筒。
【請求項３】
固定カム環を有するレンズ鏡筒において、前記固定のカム環は、その内側に移動レンズ群を保持する移動保持枠が移動する為の複数のカム溝が設けられており、前記移動保持枠には、前記固定のカム環の複数のカム溝に各々嵌まる複数の球体のカムフォロアが前記カム溝と係合する方向へ付勢する付勢部材を介して保持されており、前記固定のカム環は前記複数のカムフォロアを複数のカム溝に組み込む部分が、他方のカムフォロアをカム溝に組み込む際、先行でカム溝に組み込まれたカムフォロアが、該カム溝と該移動保持枠により既に嵌合保持されるように光軸方向に段差形状より成ることを特徴とするレンズ鏡筒。
【請求項４】
請求項１、２又は３のレンズ鏡筒を有することを特徴とする光学機器。
【発明の詳細な説明】
【技術分野】
【０００１】
本発明は、レンズ鏡筒及びそれを有する光学機器に関し、例えばスチルカメラ、デジタルスチルカメラ、ビデオカメラ等に好適なものである。
【背景技術】
【０００２】
従来、デジタルカメラなどの光学機器では、撮影を行うときカメラ本体（撮影装置本体）からレンズ鏡筒の一部を繰出し、撮影を行っている。そして撮影を行わない携帯時（非撮影時）には、レンズ鏡筒の一部をカメラ本体に収容させて全長を短くし、携帯性を高めたいわゆる沈胴方式のレンズ鏡筒が用いられている。このうち、ズーム機能を有したレンズ鏡筒（撮像装置）が知られている（特許文献１）。特許文献１のレンズ鏡筒では、移動カム環にレンズ移動用のカム溝を設け、固定筒に沈胴用のカム溝を設けている。そして移動カム環を回転駆動して固定筒の沈胴用のカム溝に沿って回転させて、光軸方向に移動させている。移動カム環の回転により、可動レンズを保持する移動保持枠をレンズ移動用のカム溝に沿って光軸方向に移動させ、ズームを行う構成を開示している。
【０００３】
上記従来例において、各カム溝に対して、各移動カム環は円錐状のカムフォロアによる嵌合により光軸方向への移動を行う構成が一般的である。このとき、移動カム環の作動を円滑にする目的で、球体のカムフォロアをカム溝との嵌合に使用する構成のレンズ鏡筒が知られている（特許文献２）。
【先行技術文献】
【特許文献】
【０００４】
【特許文献１】特開２００１−３２４６６３号公報
【特許文献２】特開２００２−２３６２４７号公報
【発明の概要】
【発明が解決しようとする課題】
【０００５】
移動カム環を移動するためにカム溝に嵌合するカムフォロアとして球体のカムフォロアを用いたレンズ鏡筒では、鏡筒（移動カム環）のバネ性や別体に設けたバネ等による付勢手段を用いて移動カム環の嵌合ガタを防止している。この構成では、円錐状のカムフォロアの様にカムフォロアを移動カム環のカム溝に固定する事が難しく、組込みが困難であった。
【０００６】
本発明は、カム環のカム溝に移動カム環側に設けた複数の球体のカムフォロアを容易に組み込むことができて、移動カム環を光軸方向に移動させる際に好適なレンズ鏡筒及びそれを有する光学機器の提供を目的とする。
【課題を解決するための手段】
【０００７】
本発明のレンズ鏡筒は、光軸方向に変移する１つ以上のカム環を有するレンズ鏡筒において、該１つ以上のカム環のうち１つのカム環は、その内側に移動レンズ群を保持する移動保持枠が移動する為の複数のカム溝が設けられており、前記移動保持枠には、前記カム環の複数のカム溝に各々嵌まる複数の球体のカムフォロアが前記カム溝と係合する方向へ付勢する付勢部材を介して保持されており、前記カム環は前記複数のカムフォロアを複数のカム溝に組み込む部分が、他方のカムフォロアをカム溝に組み込む際、先行でカム溝に組み込まれたカムフォロアが、該カム溝と該移動保持枠により既に嵌合保持されるように光軸方向に段差形状より成ることを特徴としている。
【０００８】
この他、本発明のレンズ鏡筒は、複数のカム環を有するレンズ鏡筒において、複数のカム環のうち、固定の固定カム環は、その内側に光軸方向に移動可能な移動カム環が移動する為のカム溝が設けられており、前記移動カム環は、前記固定カム環のカム溝に嵌まる複数の球体のカムフォロアが、前記カム溝と係合する方向へ付勢する付勢部材を介して保持されており、前記固定カム環は前記複数のカムフォロアを前記複数のカム溝に組み込む部分が、他方のカムフォロアをカム溝に組み込む際、先行でカム溝に組み込まれたカムフォロアが、前記カム溝と前記移動カム環により既に嵌合保持されるように光軸方向に段差形状より成ることを特徴としている。
【発明の効果】
【０００９】
本発明によれば、カム環のカム溝に移動カム環側に設けた複数の球体のカムフォロアを容易に組み込むことができて、移動カム環を光軸方向に移動させることができるレンズ鏡筒が得られる。
【図面の簡単な説明】
【００１０】
【図１】本発明の実施例１の分解斜視図
【図２】本発明の実施例１の断面図
【図３】図１の移動カム環の展開図
【図４】図１の固定カム環の展開図
【図５】図１の球体のカムフォロアを付勢および位置決めする付勢形態の異なる実施形態を示す図
【図６】本発明の実施例２における固定カム環の展開図
【発明を実施するための形態】
【００１１】
以下に、本発明の実施の形態を添付の図面に基づいて詳細に説明する。本発明のレンズ鏡筒は、光軸方向に変移する１つ以上のカム環を有する全長可変のズームレンズ鏡筒である。そして１つ以上のカム環のうち１つのカム環は回動可能であり、その内側に移動レンズ群を保持する移動保持枠が移動する為の複数のカム溝が設けられている。移動保持枠には、カム環の複数のカム溝に各々嵌まる複数の球体（球体状）のカムフォロアがカム溝と係合する方向へ付勢するバネ等の付勢部材を介して保持されている。そしてカム環は複数のカムフォロアを複数のカム溝に組み込む部分の形状が次のようになっている。即ち複数のカムフォロアのうち、他方のカムフォロアをカム溝に組み込む際、先行でカム溝に組み込まれたカムフォロアが、カム溝と移動保持枠により既に嵌合保持されるように光軸方向又は回転方向に段差形状より成っている。この他、本発明のレンズ鏡筒は、複数のカム環を有する全長可変のズームレンズ鏡筒である。複数のカム環のうち、固定の固定カム環は、その内側に光軸方向に移動可能な移動カム環が移動する為のカム溝が設けられている。そして移動カム環は、固定カム環のカム溝に嵌まる複数の球体のカムフォロアが、カム溝と係合する方向へ付勢するバネ等の付勢部材を介して保持されている。そして固定カム環は複数のカムフォロアを複数のカム溝に組み込む部分の形状が次のようになっている。即ち複数のカムフォロアのうち、他方のカムフォロアをカム溝に組み込む際、先行でカム溝に組み込まれたカムフォロアが、カム溝と移動カム環により既に嵌合保持されるように光軸方向又は回転方向に段差形状より成っている。
【００１２】
［実施例１］
図１は本発明のレンズ鏡筒をデジタルカメラやビデオカメラ等の撮影装置（光学機器）のズームレンズ鏡筒に適用したときの実施例１の分解斜視図である。図２は図１のズームレンズ鏡筒の要部断面図である。これらの図において、本発明の実施例１のレンズ鏡筒におけるズーム光学系は、物体側から像側へ順に負、正、正の屈折力の第１、第２、第３群より成るリヤフォーカス式の３群ズームレンズ（ズームレンズ）である。
【００１３】
本実施例のズームレンズは、第１群（移動レンズ群）と第２群（移動レンズ群）が光軸方向に移動することでズーミングを行っている。そして第３群（移動レンズ群）の光軸方向の移動によりフォーカシングを行っている。１は第１群（移動レンズ群）を保持する移動保持枠（１群鏡筒）であり、外周側面には３箇所のボス部１ｂとフォロア移動用の穴部１ａが光軸中心に向かって設けられている。フォロア移動用の穴部１ａは貫通穴ではなく、球体のカムフォロア３０およびコイルばね３１を収納する有底穴より構成されている。尚これら３箇所の穴部１aは、移動保持枠１の外周部に等間隔で配置されている。２は第２群（移動レンズ群）を保持する移動保持枠（２群鏡筒）であり、外周側面には３箇所のボス部２ｂとフォロア移動用の穴部２ａが光軸中心に向かって設けられている。フォロア移動用の穴部２ａは貫通穴ではなく、球体のカムフォロア３２およびコイルばね３３を収納する有底穴より構成されている。尚これら３箇所の穴部２aは、移動保持枠２の外周部に等間隔で配置されている。
【００１４】
３は移動保持枠２に固定保持された絞りユニットであり、絞り駆動部３ａとシャッター駆動部３ｂを別々に有している。絞り駆動部３ａは、複数の絞り羽根を駆動し、絞り開口形状（絞り開口径）を変化させる。シャッター駆動部３ｂは、２枚の旋回羽根を駆動し絞り開口を開放から全閉へのシャッター動作を行う。４は第３群（移動レンズ群）を保持する移動保持枠（３群鏡筒）であり、ガイドバー８とカバー９に一体で設けられた案内軸に案内されている。移動保持枠４の光軸方向の位置は、移動保持枠４の腕部４ａに光軸方向に位置決めされ回転自在に取り付けられたラック部材５に規制されている。７はステッピングモータであり出力スクリュー７ａを回転駆動する。ステッピングモータ７は、上記カバー９にビスで固定されている。出力スクリュー７ａの先端は、カバー９に一体で形成された軸受け部により回転可能に保持されている。
【００１５】
ラック部材5は、バネ6の力（付勢力）によりステッピングモータ7の出力スクリュー７ａに圧接され、ステッピングモータ７の回転により光軸方向に駆動される。１０は、鏡筒ユニットの基部となるＣＣＤホルダーであり、その前端部にビス止めにより固定される固定鏡筒（固定カム環）１１と共に、鏡筒ユニットの構造体を形成している。上記カバー９は、ＣＣＤホルダー１０にビスで固定されている。１２は、ＣＣＤホルダー１０に固定されたフォトインタラプタであり、３群用の移動保持枠４に一体形成されたスリット板部４ｂが、上記フォトインタラプタ１２のスリット部に退進可能な位置に配置されている。ＣＣＤホルダー１０には、撮像素子（ＣＣＤ）２４およびローパスフィルター等が固定保持されている。１３は移動カム環であり、外周側面には３箇所のボス部１３ｂとフォロア移動用の穴部１３ａが光軸中心に向かって設けられている。
【００１６】
フォロア移動用の穴部１３ａは貫通穴ではなく、球体のカムフォロア３４およびコイルばね（付勢部材）３５を収納する有底穴より構成されている。尚これら３箇所の穴部１３aは、移動カム環１３の外周部に等間隔で配置されている。固定鏡筒１１の内径部にはカム溝１１aが形成され、このカム溝１１aに、移動カム環１３のフォロア移動用の穴部１３ａに収納された球体のカムフォロア３４がコイルばね３５により付勢されている。これにより移動カム環１３が固定鏡筒１１のカム溝１１ａに沿って回動することで、移動カム環１３は光軸方向に繰出される。また、フォロア移動用の穴部１３ａは、球体のカムフォロア３４の外径とガタ無く嵌合される寸法で形成されており、コイルばね３５により径方向にガタ無く移動カム環１３を３点支持し、光軸に対する倒れや光軸方向の位置ズレを防いでいる。
【００１７】
固定鏡筒１１には、ズームモータ１４と、その出力軸に取り付けられたギヤ１７と、その出力を減速するギヤ列１５および出力ギヤ１６が組み込まれている。移動カム環１３の外周部に形成されたギヤ歯１３ｆにズームモータ１４の回転力を伝達することにより、移動カム環１３は、回転駆動され、光軸方向に移動制御される。ギヤ１７には、ズームモータ１４の回転を検知するための羽根１７ａが３枚設けられており、その羽根１７ａがスリット部を遮断するように、フォトインタラプタ１８，１９が１５０度の角度で配置されている。２０はファインダー用のカムプレートであり、表面にはファインダーユニット２１内のファインダーレンズをズーム駆動するためのテーパカム溝２０ａ、２０ｂが形成されている。ファインダー用のカムプレート２０は、固定鏡筒１１の外周部に沿って回転可能となっており、移動カム環１３に連動してファインダーレンズが移動してファインダー光学系のズーミングをする。
【００１８】
移動カム環１３の内部には、直進ガイド筒２２が回転自在に嵌合されており、直進ガイド筒２２の外周部に設けられた突起２２ａは、固定鏡筒１１の内周面に設けられた溝部１１ｂに嵌められている。これによって直進ガイド筒２２が固定鏡筒１１に対して回転しなく、直進するようになっている。また、直進ガイド筒２２の外周部に設けられた２つの突起２２ｂは、移動カム環１３の内面に設けられた溝部１３ｃに嵌合されている。この為、直進ガイド筒２２と移動カム環１３は、回転自在でありながら、光軸方向には一体となって移動する。１群用の移動保持枠１のフォロア移動用の穴部１ａに収納された球体のカムフォロア３０はコイルばね（付勢手段）３１により移動カム環１３のカム溝１３ｄに付勢嵌合されている。
【００１９】
直進ガイド筒２２の外周面に設けた直動溝２２ｃは、１群用の移動保持枠１に設けられたボス部１ｂと嵌合している。この直動溝２２ｃにより、回転方向に１群用の移動保持枠１が移動することが制限されており、移動カム環１３が回動すると、１群用の移動保持枠１は、光軸方向に繰出される。また、フォロア移動用の穴部１ａは、球体のカムフォロア３０の外径とガタ無く嵌合される寸法で形成されている。これにより、コイルばね３１により径方向にガタ無く１群用の移動保持枠を３点支持し、光軸に対する倒れや光軸方向の位置ズレを防いでいる。２群用の移動保持枠２も１群用の移動保持枠１と同様に、フォロア移動用の穴部２ａに収納された球体のカムフォロア３２はコイルばね３３により移動カム環１３のカム溝１３eに付勢嵌合されている。
【００２０】
そして直進ガイド筒２２の外周面に設けた直動溝２２ｄは、２群用の移動保持枠２に設けられたボス部２ｂと嵌合している。この直動溝２２ｄにより、回転方向に２群用の移動保持枠２が移動することが制限されており、移動カム環１３が回動すると、２群用の移動保持枠２は、光軸方向に繰出される。また、フォロア移動用穴部２ａは、球体のカムフォロア３２の外径とガタ無く嵌合される寸法で形成されている。これにより、コイルばね３３により径方向にガタ無く２群用の移動保持枠２を３点支持し、光軸に対する倒れや光軸方向の位置ズレを防いでいる。ズーム初期位置は、直進ガイド筒２２に設けた不図示の遮光板部が、ＣＣＤホルダー１０に固定されたフォトインタラプタ２３を遮光する事で検出している。上記の通りギヤ１７には、ズームモータ１４の回転を検知するための羽根１７ａが３枚設けられている。そして、その羽根１７ａがフォトインタラプタ１８，１９のスリット部を遮断する事により、ズームモータ１４の回転をパルス波形に変換し、そのパルス波形をカウントしている。これにより、ズームモータ１４の回転数を検出している。この回転数は、先に述べたズーム初期位置が基準となり、ズームポジションを決めている。
【００２１】
図３に移動カム環１３の展開図を示す。本図において、１群用の移動保持枠１に球体のカムフォロア３０（３０−１，３０−２，３０−３）を組み込むポジション１−Ａ、１−Ｂ、１−Ｃは移動カム環１３の外周面に、それぞれ１２０度毎に配置されている。そして、その球体のカムフォロア３０を組み込む端面（部分）１０１はカムフォロア３０の径＝ｄ１に対し、光軸方向に
Ｌ１  ≧  ｄ１／２
となる様、位置をずらして配置した光軸方向に段差形状より成っている。１群用の移動保持枠１に球体のカムフォロア３０３０−１，３０−２，３０−３）を組み込む順番は、ポジション１−Ａ、１−Ｂ、１−Ｃとなる。ポジション１−Ａでカムフォロア（一方のカムフォロア）３０１−１を組込み後、１群用の移動保持枠１を光軸方向に距離Ｌ１動かすことで、ポジション１−Ａの球体のカムフォロア３０−１はカム溝１３ｄに嵌合保持される。
【００２２】
ポジション１−Ｂで次のカムフォロア（他方のカムフォロア）３０−２を組込み後、１群用の移動保持枠１を光軸方向に、さらに距離Ｌ１動かすことでポジション１−Ｂの球体のカムフォロア３０−２はカム溝１３ｄに嵌合保持される。最後にポジション１−Ｃで次のカムフォロア３０−３を組込み後、１群用の移動保持枠１を光軸方向に、さらに距離Ｌ１動かすことでポジション１−Ｃの球体のカムフォロア３０−３はカム溝１３ｄには嵌合保持されることとなる。このように本実施例では移動カム環１３は複数のカムフォロア３０−１，３０−２，３０−３を複数のカム溝１３ｄに組み込む部分を適切に設定している。即ち、他方のカムフォロア３０−２をカム溝１３ｄに組み込む際、先行でカム溝１３ｄに組み込まれたカムフォロア３０−１が、カム溝１３ｄと移動保持枠１により既に嵌合保持されるように光軸方向に段差形状より成っている。
【００２３】
同様に２群用の移動保持枠２に球体のカムフォロア３２（３２−１，３２−２，３２−３）を組み込むポジション２−Ａ、２−Ｂ、２−Ｃはそれぞれ１２０度毎に配置されている。その球体のカムフォロア３２を組み込む端面はカムフォロア３２の径＝ｄ１に対し、光軸方向に
Ｌ１  ≧  ｄ１／２
となる様、位置をずらして配置している。２群用の移動保持枠２に球体のカムフォロア３２（３２−１，３２−２，３２−３）を組み込む順番は、１群用の移動保持枠１と同様ポジション２−Ａ、２−Ｂ、２−Ｃとなる。即ち、ポジション２−Ａでカムフォロア３２−１を組込み後、２群用の移動保持枠２を光軸方向に距離Ｌ１動かすことで、ポジション２−Ａの球体のカムフォロア３２−１はカム溝１３ｅに嵌合保持される。
【００２４】
ポジション２−Ｂで次のカムフォロア３２−２を組込み後、２群用の移動保持枠２を光軸方向に、さらに距離Ｌ１動かすことでポジション２−Ｂの球体のカムフォロア３２−２はカム溝１３ｅに嵌合保持される。最後にポジション２−Ｃで次のカムフォロア３２−３を組込み後、２群用の移動保持枠２を光軸方向に、さらに距離Ｌ１動かすことでポジション２−Ｃの球体のカムフォロア３２−３はカム溝１３ｅに嵌合保持されることとなる。移動カム環１３のポジション１−Ｃおよび２−Ｃの位置は他形状に対し光軸方向に凹形状となるため、鏡筒沈胴時にこの位置にフォーカスモータ等を配置する事により、沈胴長を短くすることができる。
【００２５】
図４に固定鏡筒（固定カム環）１１のカム部展開図を示す。本図において、移動カム環１３のカム溝１１ａに球体のカムフォロア３４を組み込むポジション３−Ａ、３−Ｂ、３−Ｃはそれぞれ１２０度毎に配置される。光軸方向に段差形状より成っている。その球体のカムフォロア３４を組み込む挿入穴１１ｃは、カムフォロア３４の径＝Ｄ１と挿入穴径＝Ｄ２に対し、光軸方向に
Ｌ２  ≧  （Ｄ１＋Ｄ２）  ／２
となる様、位置をずらして配置している。
【００２６】
移動カム環１３に球体のカムフォロア３４（３４−１，３４−２，３４−３）を組み込む順番は、ポジション３−Ａ、３−Ｂ、３−Ｃとなる。即ち、ポジション３−Ａでカムフォロア３４−１を組込み後、移動カム環１３を光軸方向に距離Ｌ２動かすことで、ポジション３−Ａの球体のカムフォロア３４−１はカム溝１１ａに嵌合保持される。ポジション３−Ｂで次のカムフォロア３４−２を組込み後、移動カム環１３を光軸方向に、さらに距離Ｌ２動かすことでポジション３−Ｂの球体のカムフォロア３４−２はカム溝１１ａに嵌合保持される。最後にポジション３−Ｃで次のカムフォロア３４−３を組込み後、移動カム環１３を光軸方向に、さらに距離Ｌ２動かすことでポジション３−Ｃの球体のカムフォロア３４−３はカム溝１１ａに嵌合保持されることとなる。このように本実施例では、固定鏡筒（固定カム環）１１は複数のカムフォロア３４−１，３４−２，３４−３を複数のカム溝１１ａに組み込む部分を適切に設定している。即ち、他方のカムフォロア３４−２をカム溝１１ａに組み込む際、先行でカム溝１１ａに組み込まれたカムフォロア３４−１が、カム溝１１ａと移動カム環１３により既に嵌合保持されるように光軸方向に段差形状より成っている。
【００２７】
図５は実施例１の他の形態の要部概略図である。図５は移動保持枠１０１自体にばね性を持たせ、球体のカムフォロア３０を移動カム環１３のカム溝１３ｄに付勢する形態を示している。移動保持枠１０１の外周側面には３箇所のボス部１０１ｂと円錐状フォロア移動用凹部（穴部）１０１ａが光軸中心に向かって設けられている。これら３箇所の穴部１０１ａは、移動保持枠１０１の外周部に等間隔で配置されている。移動保持枠１０１に設けた円錐状フォロア移動用凹部１０１ａに収納された球体のカムフォロア３０は移動保持枠１０１に一体成形されたばね部１０１ｃにより移動カム環１３のカム溝１１３ｄに付勢嵌合されている。直進ガイド筒２２の直動溝２２ｃは、移動保持枠１０１に設けられたボス部１０１ｂと嵌合している。この直動溝２２ｃにより、回転方向に移動鏡筒１０１が移動することが制限されており、移動カム環１３が回動すると、移動保持枠１０１は、光軸方向に繰出される。また、円錐状フォロア移動用凹部１０１ａは、球体のカムフォロア３０の外径とガタ無く嵌合される円錐形状に形成されており、ばね部１０１ｃにより径方向にガタ無く移動保持枠１０１を３点支持し、光軸に対する倒れや光軸方向の位置ズレを防いでいる。尚、移動保持枠１０１に一体成形されたばね部１０１ｃおよび円錐状フォロア移動用凹部１０１ａは、移動保持枠１０１と別体として構成しても良い。
【００２８】
［実施例２］
図６は本発明の実施例２のレンズ鏡筒の一部分の説明図である。図６は固定鏡筒（固定カム溝）２１１のカム部展開図を示している。本図において、移動カム環１３のカム溝２１１ａに球体のカムフォロア３４を組み込むポジション３−Ｄ、３−Ｅ、３−Ｆはそれぞれ１２０度からＳ１ずれた位置に配置されている。その球体のカムフォロア３４を組み込む挿入穴１１ｃは、カムフォロア３４の径＝Ｄ１と挿入穴径＝Ｄ２に対し、光軸廻りに
Ｌ３  ≧  （Ｄ１＋Ｄ２）  ／２
となる様、位置をずらして配置している。
【００２９】
移動カム環１３に球体のカムフォロア３４（３４−１，３４−２，３４−３）を組み込む順番は、ポジション３−Ｄ、３−Ｅ、３−Ｆとなる。即ち、ポジション３−Ｄでカムフォロア３４−１を組込み後、移動カム環１３をカム溝２１１ａにそって光軸廻りに距離Ｌ３動かすことで、ポジション３−Ｄの球体のカムフォロア３４−１はカム溝２１１ａに嵌合保持される。ポジション３−Ｅで次のカムフォロア３４−２を組込み後、移動カム環１３を光軸廻りに、さらに距離Ｌ３動かすことでポジション３−Ｅの球体のカムフォロア３４−２はカム溝２１１ａに嵌合保持される。最後にポジション３−Ｆで次のカムフォロア３４−３を組込み後、移動カム環１３を光軸廻りに、さらに距離Ｌ３動かすことでポジション３−Ｆの球体のカムフォロア３４−３はカム溝２１１に嵌合保持されることとなる。
【００３０】
以上のように本発明のレンズ鏡筒では、複数のカム溝と複数の球体のカムフォロアにより光軸方向に移動させズーム又はフォーカスを行う沈胴式のレンズ鏡筒において、球体のカムフォロアをカム溝に挿入する位置を光軸方向にずらした位置に配置している。この他光軸方向及び回転方向にずらした位置に配置しても良い。これにより、個々の球体のカムフォロアの組込み時には他の球体のカムフォロアがカム溝に嵌まり位置決めされる構造とし、組立性を容易にしている。尚、本実施例では、球体のカムフォロア３４を組み込む位置の固定鏡筒２１１のカム溝はリフトを有しているが、光軸方向に移動しないフラットなカム溝でも構わない。また、本実施例では、移動カム環と固定カムを有する固定鏡筒の関係を示したが、実施例１の様に、移動カム環と移動鏡筒の関係でも構わない。
【００３１】
以上、本発明の好ましい実施例について説明したが、本発明はこれらの実施例に限定されないことはいうまでもなく、その要旨の範囲内で種々の変形及び変更が可能である。例えば各実施例のレンズ鏡筒の他の形態として次の構成が適用できる。レンズ鏡等が有する固定のカム環は、その内側に移動レンズ群を保持する移動保持枠が移動する為の複数のカム溝が設けられている。そして移動保持枠には、固定のカム環の複数のカム溝に各々嵌まる複数の球体のカムフォロアがカム溝と係合する方向へ付勢する付勢部材を介して保持されている。そして固定のカム環は複数のカムフォロアを複数のカム溝に組み込む部分が、他方のカムフォロアをカム溝に組み込む際、次のようになっている。即ち、先行でカム溝に組み込まれたカムフォロアが、該カム溝と該移動保持枠により既に嵌合保持されるように光軸方向に段差形状より成るように構成しても良い。
【符号の説明】
【００３２】
１は第１群の移動レンズ群を保持する移動保持枠、２は第２群の移動レンズ群を保持する移動保持枠、３は絞りユニット、４は第３群の移動レンズ群を保持する移動保持枠、１０はＣＣＤホルダー、１１は固定カムを有する固定鏡筒、１３は移動カム環、２２は直進ガイド筒、３０、３２、３４は球体のカムフォロア、３１、３３、３５はコイルばね（付勢手段）
【図１】
2010271524.tif 000003
【図２】
2010271524.tif 000004
【図５】
2010271524.tif 000005
【図６】
2010271524.tif 000006
【図３】
2010271524.tif 000007
【図４】
2010271524.tif 000008